【手続補正書】
【提出日】平成24年5月10日(2012.5.10)
【手続補正１】
【補正対象書類名】明細書
【補正対象項目名】０００６
【補正方法】変更
【補正の内容】
【０００６】
前記課題を解決するため請求項１記載の発明は、略同一の撮影画角で且つ露光条件が夫々異なる複数の画像を取得する画像取得手段と、前記複数の画像における他の露光条件の画像と露光条件が等しくなるように、前記画像取得手段によって取得された複数の画像のうち露光量が低い方の画像の明るさのゲインを上げるよう制御するゲイン制御手段と、  このゲイン制御手段によってゲインが上げられた画像と、このゲインが上げられた画像と露光条件が等しい画像とを比較することにより、前記撮影画角における動体領域を検出する動体領域検出手段と、前記ゲインが上げられた画像と露光条件が等しい画像における前記動体領域検出手段によって検出された動体領域の画像を、前記ゲインが上げられた画像における同領域の画像に置換する置換手段と、前記動体領域検出手段によって検出された動体領域について、前記ゲインが上げられた画像と前記ゲインが上げられた画像と露光条件が等しい画像との画素毎の差分の最大値を取得する差分取得手段と、この差分取得手段によって取得された情報を透過強度の情報として前記置換手段による置換後の画像にブレンディングするブレンディング手段と、このブレンディング手段によってブレンディングされた画像と前記露光量の低い方の画像との画素加算合成画像を生成する生成手段と、を備えたことを特徴とする。
【手続補正２】
【補正対象書類名】明細書
【補正対象項目名】００１１
【補正方法】変更
【補正の内容】
【００１１】
また、請求項６記載の発明は、略同一の撮影画角で且つ露光条件が夫々異なる複数の画像を取得する画像取得ステップと、前記複数の画像における他の露光条件の画像と露光条件が等しくなるように、前記画像取得ステップによって取得された複数の画像のうち露光量が低い方の画像の明るさのゲインを上げるよう制御するゲイン制御ステップと、このゲイン制御ステップによってゲインが上げられた画像と、このゲインが上げられた画像と露光条件が等しい画像とを比較することにより、前記撮影画角における動体領域を検出する動体領域検出ステップと、前記ゲインが上げられた画像と露光条件が等しい画像における前記動体領域検出ステップによって検出された動体領域の画像を、前記ゲインが上げられた画像における同領域の画像に置換する置換ステップと、前記動体領域検出ステップによって検出された動体領域について、前記ゲインが上げられた画像と前記ゲインが上げられた画像と露光条件が等しい画像との画素毎の差分の最大値を取得する差分取得ステップと、この差分取得ステップによって取得された情報を透過強度の情報として前記置換ステップによる置換後の画像にブレンディングするブレンディングステップと、このブレンディングステップによってブレンディングされた画像と前記露光量の低い方の画像との画素加算合成画像を生成する生成ステップと、を含むことを特徴とする。
【手続補正３】
【補正対象書類名】明細書
【補正対象項目名】００１２
【補正方法】変更
【補正の内容】
【００１２】
また、請求項７記載の発明は、装置が有するコンピュータを、略同一の撮影画角で且つ露光条件が夫々異なる複数の画像を取得する画像取得手段、前記複数の画像における他の露光条件の画像と露光条件が等しくなるように、前記画像取得手段によって取得された複数の画像のうち露光量が低い方の画像の明るさのゲインを上げるよう制御するゲイン制御手段、このゲイン制御手段によってゲインが上げられた画像と、このゲインが上げられた画像と露光条件が等しい画像とを比較することにより、前記撮影画角における動体領域を検出する動体領域検出手段、前記ゲインが上げられた画像と露光条件が等しい画像における前記動体領域検出手段によって検出された動体領域の画像を、前記ゲインが上げられた画像における同領域の画像に置換する置換手段、前記動体領域検出手段によって検出された動体領域について、前記ゲインが上げられた画像と前記ゲインが上げられた画像と露光条件が等しい画像との画素毎の差分の最大値を取得する差分取得手段、この差分取得手段によって取得された情報を透過強度の情報として前記置換手段による置換後の画像にブレンディングするブレンディング手段、このブレンディング手段によってブレンディングされた画像と前記露光量の低い方の画像との画素加算合成画像を生成する生成手段、として機能させることを特徴とする。
【手続補正４】
【補正対象書類名】明細書
【補正対象項目名】００２４
【補正方法】変更
【補正の内容】
【００２４】
したがって、このステップＳ１０２及びステップＳ１０３での処理により、図４（ａ）に示すＹＵＶ画像からなる露出アンダー画像Ｕと、同図（ｂ）に示すＹＵＶ画像からなる露出オーバー画像ＯとがＲＡＭ８に保存される。連写された露出アンダー画像Ｕと露出オーバー画像Ｏとは、撮像画角全体を示す背景Ｂ内において動体としての手Ｈを上下に振っている状態で、略同じ撮像画角で連写したものである。両画像Ｕ、Ｏにおいて、背景Ｂは同一であるが、時間ｔが進むに従って手Ｈの像は背景Ｂ内において相対的に下方に変位し、露出オーバー画像Ｏの手Ｈの像は、露出アンダー画像Ｕの手Ｈの像よりも下に位置する。
【手続補正５】
【補正対象書類名】明細書
【補正対象項目名】００３３
【補正方法】変更
【補正の内容】
【００３３】
引き続き、下記式［７］で示すように、強調処理を行って前記動体判定マップＭのコントラストをアップさせる（ステップＳ２０５）。
Map_Move = fEmphasis (Diff_Lpf)    ・・・式［７］
このステップＳ２０５での平滑化処理により、図５（ｂ）に示すように、動体判定マップＭにおいて動体である手Ｈの像の領域におけるコントラストがアップされる。
【手続補正６】
【補正対象書類名】明細書
【補正対象項目名】００３９
【補正方法】変更
【補正の内容】
【００３９】
以上のようにして、合成画像ＰＭを表すＹＵＶ画像データを生成したならば、完成画像である合成画像ＰＭのＹＵＶ画像データを、ＪＰＥＧ方式で符号化しファイル化して、画像記録部６に記録保存し（ステップＳ１０８）、処理を終了する。
【手続補正７】
【補正対象書類名】特許請求の範囲
【補正対象項目名】請求項１
【補正方法】変更
【補正の内容】
【請求項１】
略同一の撮影画角で且つ露光条件が夫々異なる複数の画像を取得する画像取得手段と、
前記複数の画像における他の露光条件の画像と露光条件が等しくなるように、前記画像取得手段によって取得された複数の画像のうち露光量が低い方の画像の明るさのゲインを上げるよう制御するゲイン制御手段と、
このゲイン制御手段によってゲインが上げられた画像と、このゲインが上げられた画像と露光条件が等しい画像とを比較することにより、前記撮影画角における動体領域を検出する動体領域検出手段と、
前記ゲインが上げられた画像と露光条件が等しい画像における前記動体領域検出手段によって検出された動体領域の画像を、前記ゲインが上げられた画像における同領域の画像に置換する置換手段と、
前記動体領域検出手段によって検出された動体領域について、前記ゲインが上げられた画像と前記ゲインが上げられた画像と露光条件が等しい画像との画素毎の差分の最大値を取得する差分取得手段と、
この差分取得手段によって取得された情報を透過強度の情報として前記置換手段による置換後の画像にブレンディングするブレンディング手段と、
このブレンディング手段によってブレンディングされた画像と前記露光量の低い方の画像との画素加算合成画像を生成する生成手段と、
を備えたことを特徴とする画像合成装置。
【手続補正８】
【補正対象書類名】特許請求の範囲
【補正対象項目名】請求項６
【補正方法】変更
【補正の内容】
【請求項６】
略同一の撮影画角で且つ露光条件が夫々異なる複数の画像を取得する画像取得ステップと、
前記複数の画像における他の露光条件の画像と露光条件が等しくなるように、前記画像取得ステップによって取得された複数の画像のうち露光量が低い方の画像の明るさのゲインを上げるよう制御するゲイン制御ステップと、
このゲイン制御ステップによってゲインが上げられた画像と、このゲインが上げられた画像と露光条件が等しい画像とを比較することにより、前記撮影画角における動体領域を検出する動体領域検出ステップと、
前記ゲインが上げられた画像と露光条件が等しい画像における前記動体領域検出ステップによって検出された動体領域の画像を、前記ゲインが上げられた画像における同領域の画像に置換する置換ステップと、
前記動体領域検出ステップによって検出された動体領域について、前記ゲインが上げられた画像と前記ゲインが上げられた画像と露光条件が等しい画像との画素毎の差分の最大値を取得する差分取得ステップと、
この差分取得ステップによって取得された情報を透過強度の情報として前記置換ステップによる置換後の画像にブレンディングするブレンディングステップと、
このブレンディングステップによってブレンディングされた画像と前記露光量の低い方の画像との画素加算合成画像を生成する生成ステップと、
を含むことを特徴とする画像合成方法。
【手続補正９】
【補正対象書類名】特許請求の範囲
【補正対象項目名】請求項７
【補正方法】変更
【補正の内容】
【請求項７】
装置が有するコンピュータを、
略同一の撮影画角で且つ露光条件が夫々異なる複数の画像を取得する画像取得手段、
前記複数の画像における他の露光条件の画像と露光条件が等しくなるように、前記画像取得手段によって取得された複数の画像のうち露光量が低い方の画像の明るさのゲインを上げるよう制御するゲイン制御手段、
このゲイン制御手段によってゲインが上げられた画像と、このゲインが上げられた画像と露光条件が等しい画像とを比較することにより、前記撮影画角における動体領域を検出する動体領域検出手段、
前記ゲインが上げられた画像と露光条件が等しい画像における前記動体領域検出手段によって検出された動体領域の画像を、前記ゲインが上げられた画像における同領域の画像に置換する置換手段、
前記動体領域検出手段によって検出された動体領域について、前記ゲインが上げられた画像と前記ゲインが上げられた画像と露光条件が等しい画像との画素毎の差分の最大値を取得する差分取得手段、
この差分取得手段によって取得された情報を透過強度の情報として前記置換手段による置換後の画像にブレンディングするブレンディング手段、
このブレンディング手段によってブレンディングされた画像と前記露光量の低い方の画像との画素加算合成画像を生成する生成手段、
として機能させることを特徴とするプログラム。